(57)【要約】【課題】遊戯場などでの遊戯者の喫煙によるたばこ煙を速やかに吸着しかつ消臭しながら消却することによって、たばこ煙の拡散を防止する。【解決手段】光触媒層（２）を有する煙集着用のプラス電極板（３）に対向させて、マイナス電極（４）および紫外線ランプ（５）を配置するとともに、プラス電極板（３）とマイナス電極（４）との間に放電回路（６）を、紫外線ランプ（５）に点灯回路（７）をそれぞれ接続し、少なくとも上記のプラス電極板（３）、マイナス電極（４）および紫外線ランプ（５）を昇降自在の吊り具（８）により吊り下げ状態で取付け可能とする。上記の光触媒層（２）は、網状または多孔質として、または導電性の金属粉末を含むものとしてプラス電極板（２）の表面に形成される。【選択図】図１
2005193177.tif 000002
【特許請求の範囲】
【請求項１】
光触媒層（２）を有する煙集着用のプラス電極板（３）に対向させて、マイナス電極（４）および紫外線ランプ（５）を配置するとともに、プラス電極板（３）とマイナス電極（４）との間に放電回路（６）を、紫外線ランプ（５）に点灯回路（７）をそれぞれ接続してなることを特徴とする煙消臭消却装置（１）。
【請求項２】
光触媒層（２）を有する煙集着用のプラス電極板（３）に対向させて、マイナス電極（４）および紫外線ランプ（５）を配置するとともに、プラス電極板（３）とマイナス電極（４）との間に放電回路（６）を、紫外線ランプ（５）に点灯回路（７）をそれぞれ接続し、少なくとも上記のプラス電極板（３）、マイナス電極（４）および紫外線ランプ（５）を昇降自在の吊り具（８）により吊り下げ状態で取付け可能とすることを特徴とする煙消臭消却装置（１）。
【請求項３】
光触媒層（２）を連続的な層状、網状または多孔質としてプラス電極板（２）の表面に形成し、消臭・防汚（セルフクリーニング）・抗菌に利用することを特徴とする請求項１または請求項２記載の煙消臭消却装置（１）。
【請求項４】
導電性の金属粉末を含む光触媒層（２）をプラス電極板（２）の表面に形成し、消臭・防汚（セルフクリーニング）・抗菌に利用するすることを特徴とする請求項１または請求項２記載の煙消臭消却装置（１）。
【発明の詳細な説明】
【技術分野】
【０００１】
本発明は、遊戯場などにおいて、煙粒子の荷電現象を利用して、たばこ煙を吸着しかつ消臭しながら消却する装置に関する。
【背景技術】
【０００２】
遊戯機、特にパチンコ機による遊戯中に、遊戯者の喫煙のため、遊戯場は、煙の充満により不衛生な状態となりやすい。この対策として、特許文献に見られるように、空気清浄機や排煙装置などが設置されるが、それでも個々の遊戯機の周辺では、たばこ煙が滞留しており、また、そのための匂いも環境を悪くしている。
【特許文献１】特開平６−２３１３３号公報
【特許文献２】特開平８−１３１６４１号公報
【特許文献３】特開平９−４７５６３号公報
【特許文献４】実用新案登録第３０８７７２８号公報
【発明の開示】
【発明が解決しようとする課題】
【０００３】
本発明の課題は、遊戯場などでの遊戯者の喫煙によるたばこ煙を速やかに吸着しかつ消臭しながら消却することによって、たばこ煙の拡散を防止することである。
【課題を解決するための手段】
【０００４】
上記の課題のもとに、本発明は、光触媒層を有する煙集着用のプラス電極板に対向させて、マイナス電極および紫外線ランプを配置するとともに、プラス電極板とマイナス電極との間に放電回路を、紫外線ランプに点灯回路をそれぞれ接続して、煙消臭消却装置を構成している（請求項１）。
【０００５】
また、本発明は、光触媒層を有する煙集着用のプラス電極板に対向させて、マイナス電極および紫外線ランプを配置するとともに、プラス電極板とマイナス電極との間に放電回路を、紫外線ランプに点灯回路をそれぞれ接続し、さらに、少なくとも上記のプラス電極板、マイナス電極および紫外線ランプを昇降自在の吊り具により吊り下げ状態で取付け可能として、煙消臭消却装置を構成している（請求項２）。
【０００６】
上記の光触媒層は、連続的な層状、網状または多孔質としてプラス電極板の表面に形成される（請求項３）か、または導電性の金属粉末を含むものとして構成される（請求項４）。の光触媒は、消臭・防汚（セルフクリーニング）・抗菌に利用される。
【発明の効果】
【０００７】
請求項１によると、煙集着用のプラス電極板とマイナス電極との荷電作用により煙粒子が主としてプラス電極板に吸着され、吸着された煙粒子が光触媒層によって消臭されるため、たばこ煙の拡散が防止できる。また、光触媒層の存在によって、防汚効果、抗菌効果も期待できる。
【０００８】
請求項２によると、請求項１の効果の他、吊り具の昇降機能によってプラス電極板、マイナス電極および紫外線ランプの高さを調節することにより、それらを最も適切な位置に設置して、その機能を有効に利用できる。
【０００９】
請求項３によると、光触媒層がプラス電極板の表面に網状または多孔質として部分的に形成されるから、プラス電極板の表面で光触媒層のない表面部分で導電性が確保できる。また、請求項４によると、光触媒層がプラス電極板の表面全域に形成されても、光触媒層内の導電性の金属粉末がプラス電極板の表面全域で導電性を付与する。このため、プラス電極板とマイナス電極と間で、適切な電界が形成され、煙粒子に対する帯電（荷電）が能率よく行える。
【発明を実施するための最良の形態】
【００１０】
図１および図２は、本発明に係る煙消臭消却装置１を示している。煙消臭消却装置１は、光触媒層２を有する煙集着用のプラス電極板３と、このプラス電極板３に対向させて、マイナス電極４および紫外線ランプ５を有している。煙集着用のプラス電極板３は、金属板（導電板）を断面コの字形に曲げ、開口面を下面および対向側面となっている。
【００１１】
光触媒層２は、プラス電極板３の表面に、光触媒の消臭効果、防汚効果、抗菌効果を得るために用いられる。その光触媒は、代表的なものとして二酸化チタンであり、金属板（導電板）製のプラス電極板３の表面全域もしくは少なくとも紫外線ランプ５と対向する面に、塗料とともに塗布するか、または二酸化チタン単独で蒸着、コーティングもしくは焼成などの手段によって、連続的な層状として形成される。なお、二酸化チタンは、室温で絶縁体である。このため、プラス電極板３とマイナス電極４との間の放電電圧、特に放電開始電圧が必要以上に高くなるとき、光触媒層２は、プラス電極板３の少なくとも内側の表面に網状または多孔質の状態として形成され、部分的に金属板（導電板）を露出させるか、または導電性の金属粉末例えばアルミニュウム粉末を混入した光触媒をプラス電極板３の少なくとも内側の表面全域に形成され、部分的にアルミニュウム粉末を露出させる。このような形状または組成の光触媒層２によると、マイナス電極４対する導電性が確保でき、プラス電極板３の光触媒層２の表面全域で良好な導電性が付与できる。
【００１２】
マイナス電極４および紫外線ランプ５は、１または２以上用意され、プラス電極板３の左右の側板の中間位置でそれらに対向する状態で上下方向に配置され、上端部においてプラス電極板３の上面板に電気的に絶縁状態で取付けられている。この例では３個のマイナス電極４と２個の紫外線ランプ５とが中間線上で交互に配置されている。なお、マイナス電極４は、電極ロッドに複数の針電極を固定し、各針電極をプラス電極板３の側板向けて突出させた構造となっている。また、紫外線ランプ５は、紫外線領域の多い光を発生し、光触媒層２を機能させるが、必要に応じて、オゾンを誘発するものを用いる。オゾンは、光触媒層２の表面で効率よく活性酸素に変化し、光触媒反応を促進すると同時に、強い酸化力によって脱臭作用を営む。もちろん、オゾンの空間への拡散は、環境基準以下に設定される。
【００１３】
このようにして、プラス電極板３、マイナス電極４およびび紫外線ランプ５は、一体となるが、これらは、昇降自在の吊り具８により吊り下げ状態で天井などに取付け可能となっている。なお、吊り具８は、ワイヤー９と係止・巻き取り機能付きのリール１０とから構成されている。ワイヤー９の一端は、プラス電極板３の四隅または重心に固定されており、リール１０に巻き取られる。リール１０は、図示しないが、高さ調節式電球ペンダントと同じ構造のものであり、爪による係止機能とぜんまいによる巻き取り機能とを有し、ワイヤー９を巻き取る過程で任意の位置で停止できるようになっている。
【００１４】
次に図３は、電気回路を示している。プラス電極板３とマイナス電極４との間には放電回路６が接続されており、また紫外線ランプ５には点灯回路７が接続されている。放電回路６の出力電圧は、プラス電極板３とマイナス電極４との距離や電極形状によるが、例えばＤＣ１０ｋＶ以上であり、設置環境に応じて調節できるようになっている。通常、放電回路６や点灯回路７は、取付け位置の天井などに固定されるが、プラス電極板３の上面にケースなどとともに固定することもできる。
【００１５】
上記の構成の煙消臭消却装置１は、吊り具８のリール１０により遊戯場の天井などに取付けられる。このとき、プラス電極板３の側板は、取付け位置での空気の流れ方向に対して平行となるように取付けられる。この状態で、プラス電極板３とマイナス電極４との間に放電回路６の出力電圧が印加され、かつ紫外線ランプ５が点灯回路７により点灯することによって、煙消臭消却装置１は、動作状態となる。
【００１６】
煙消臭消却装置１が動作状態にあるときに、プラス電極板３とマイナス電極４とは、コロナ放電を維持し、取付け位置での空気の流れにより電離域に入り込んだたばこ煙粒子を荷電（帯電）状態とする。帯電状態のたばこ煙粒子は、流れの過程で、主としてプラス電極板３に吸引され、その表面に付着する。これにより、たばこ煙の拡散が防止できる。
【００１７】
また、紫外線ランプ５の紫外線が光触媒層２に照射されると、光触媒層２の光触媒は、光エネルギーを吸収し、励起されることによって、活性化し、酸化・還元反応を促進し、プラス電極板３の表面に付着したたばこ煙粒子や微粒子を消臭すると同時に、抗菌作用を営む。これによって、たばこ煙による悪臭が解消され、菌の増殖も抑えられるため、不衛生な状態が解消される。また、紫外線ランプ５からのオゾンは、光触媒層２の表面で効率よく活性酸素に変化し、光触媒反応を促進すると同時に、強い酸化力によって脱臭作用を発揮する。
【００１８】
煙消臭消却装置１の使用によって、主としてプラス電極板３の表面にたばこ煙粒子や微粒子が付着するが、その他、マイナス電極４や紫外線ランプ５の表面にも、たばこ煙粒子や微粒子が付着する。このため、煙消臭消却装置１は、取付け位置から取外すか、低い位置まで引き下げて、定期的に空気吸引式の掃除器や水または蒸気の噴射により、清掃される。光触媒層２が光エネルギーを受けて、たばこ煙粒子や油分などの有機物を分解しており、しかも光触媒層２が親水性を有しているため、水または蒸気による清掃は、洗い流しやすくなる。つまり光触媒層２は、防汚、セルフクリーニングとしても機能する。なお、汚れの多い部分、特にプラス電極板３のみが蛍光ランプの傘（セード）のように取り外せるようにすれば、その清掃が一層容易となるので有利である。
【００１９】
なお、帯電状態のたばこ煙粒子や微粒子は、プラス電極板３とマイナス電極４との間の電界によって移動する。このため、プラス電極板３とマイナス電極４との間での空気の流れは、帯電状態のたばこ煙粒子や微粒子の移動に対して補助的なものであるが、必要に応じてフアンを付設し、所定の方向に強制的に発生させることもできる。
【００２０】
つぎに、図４および図５は、煙消臭消却装置１の他の構成例を示している。まず、図４のものは、複数の煙消臭消却装置１をプラス電極板３の側面で連接して組み合わせた例である。この例で、複数のプラス電極板３は、それぞれ上面側で絶縁性の連接板１１に対し電気的に絶縁された状態として独立に固定されている。また、図５のものは、導体製の連接板１１に対し４枚の平板状のプラス電極板３を着脱金具１２により着脱自在に組み合わせ、すべてのプラス電極板３を電気的に導通状態として一体化した例である。
【００２１】
なお、プラス電極板３は、円筒状あるいは角筒状として構成することもできる。円筒状あるいは角筒状のプラス電極板３に対して、マイナス電極４や紫外線ランプ５は、筒の中心位置に配置される。以上のすべての例で、マイナス電極４と紫外線ランプ５とは、電極の一部またはランプホルダの一部を利用して一体として構成することもできる。もちろんプラス電極板３やマイナス電極４が取り外し可能な状態で取付けられておれば、その清掃が容易となることから有利である。
【産業上の利用可能性】
【００２２】
本発明の煙消臭消却装置１は、主に遊戯場での煙の消却用として開発されたが、その煙消却機能、空気の清浄機能、菌除去機能などは、一般家庭の部屋、車輛室内、病院、工場内などでも有効である。
【図面の簡単な説明】
【００２３】
【図１】本発明の煙消臭消却装置１の正面図である。
【図２】本発明の煙消臭消却装置１の底面図である。
【図３】本発明の煙消臭消却装置１の回路図である。
【図４】本発明の煙消臭消却装置１の他の例の正面図である。
【図５】本発明の煙消臭消却装置１の他の例の正面図である。
【符号の説明】
【００２４】
１  煙消臭消却装置
２  光触媒層
３  プラス電極板
４  マイナス電極
５  紫外線ランプ
６  放電回路
７  点灯回路
８  吊り具
９  ワイヤー
１０  リール
１１  連接板
１２  着脱金具
【図１】
2005193177.tif 000003
【図２】
2005193177.tif 000004
【図３】
2005193177.tif 000005
【図４】
2005193177.tif 000006
【図５】
2005193177.tif 000007
【手続補正書】
【提出日】平成16年1月16日(2004.1.16)
【手続補正２】
【補正対象書類名】図面
【補正対象項目名】図１
【補正方法】変更
【補正の内容】
【図１】
2005193177.tif 000008